(57)【要約】【課題】通過可能又は通過不可能を切り替え可能な封止材及び当該封止材を適用した建築部材構造を提供すること。【解決手段】貫通している中空部４１１を有する封止性の基部４１と、中空部４１１内に設けられる封止性の膨張性材料４２であって、周辺環境に応じて膨張又は収縮する膨張性材料と、を備え、膨張性材料は、収縮した場合に中空部４１１を開くことにより、中空部４１１を通過可能にし、膨張した場合に中空部４１１を閉じることにより、中空部４１１を通過不可能にし、膨張性材料４２は、膨張性材料４２の周辺の水に応じて膨張又は収縮し、膨張性材料４２は、収縮した場合に中空部４１１を開くことにより、水を中空部４１１に対して通過可能にし、膨張した場合に中空部４１１を閉じることにより、水及び空気を中空部４１１に対して通過不可能にする。【選択図】図３
2020165167.tif 000002
【特許請求の範囲】
【請求項１】
貫通している中空部を有する封止性の基部と、
前記中空部内に設けられる封止性の膨張体であって、周辺環境に応じて膨張又は収縮する前記膨張体と、を備え、
前記膨張体は、収縮した場合に前記中空部を開くことにより、前記中空部を通過可能にし、膨張した場合に前記中空部を閉じることにより、前記中空部を通過不可能にする、
封止材。
【請求項２】
前記膨張体は、当該膨張体の周辺の気温、湿度、日射、紫外線、水、風、又は塵埃のうちの少なくとも１個に応じて膨張又は収縮する、
請求項１に記載の封止材。
【請求項３】
前記膨張体は、収縮した場合に前記中空部を開くことにより、水、空気、音、匂い、又は光のうちの少なくとも１個を前記中空部に対して通過可能にし、膨張した場合に前記中空部を閉じることにより、水、空気、音、匂い、又は光のうちの少なくとも１個を前記中空部に対して通過不可能にする、
請求項１又は２に記載の封止材。
【請求項４】
前記膨張体は、水を吸収していない場合に収縮して前記中空部を開くことにより、空気を前記中空部に対して通過可能にし、水を吸収して膨張した場合に前記中空部を閉じることにより、水を前記中空部に対して通過不可能にする、
請求項１から３の何れか一項に記載の封止材。
【請求項５】
前記膨張体は、少なくとも吸水ポリマーを含む、
請求項４に記載の封止材。
【請求項６】
建築物に関する第１空間と第２空間とを相互に区画する区画部と、
請求項１から５の何れか一項に記載の封止材であって、前記区画部の周囲に設けられている前記封止材と、を備え、
前記封止材は、前記膨張体が収縮した場合に前記中空部を開くことにより、前記第１空間と前記第２空間の間を通過可能にし、前記膨張体が膨張した場合に前記中空部を閉じることにより、前記第１空間と前記第２空間の間を通過不可能にする、
建築部材構造。
【請求項７】
前記区画部は、前記建築物の内部の空間及び外部の空間を相互に区画するもの、又は、前記建築物の内部の少なくとも２個の空間を相互に区画するものである、
請求項６に記載の建築部材構造。
【発明の詳細な説明】
【技術分野】
【０００１】
本発明は、封止材、及び建築部材構造に関する。
【背景技術】
【０００２】
従来、建物の窓枠にシール材が設けられていた（例えば、特許文献１）。
【先行技術文献】
【特許文献】
【０００３】
【特許文献１】特開２０１９−１４６１９号公報
【発明の概要】
【発明が解決しようとする課題】
【０００４】
しかしながら、特許文献１のシール材を含めて、一般的なシール材は、例えば、ゴム等の止水性の材料にて形成されているので、空気を通すことができず、はめ殺しの窓等に適用した場合、通気することが困難となる可能性があった。
【０００５】
本発明は上記事実に鑑みなされたもので、通過可能又は通過不可能を切り替え可能な封止材及び当該封止材を適用した建築部材構造を提供する事を目的とする。
【課題を解決するための手段】
【０００６】
上述した課題を解決し、目的を達成するために、請求項１に記載の封止材は、貫通している中空部を有する封止性の基部と、前記中空部内に設けられる封止性の膨張体であって、周辺環境に応じて膨張又は収縮する前記膨張体と、を備え、前記膨張体は、収縮した場合に前記中空部を開くことにより、前記中空部を通過可能にし、膨張した場合に前記中空部を閉じることにより、前記中空部を通過不可能にする。
【０００７】
請求項２に記載の封止材は、請求項１に記載の封止材において、前記膨張体は、当該膨張体の周辺の気温、湿度、日射、紫外線、水、風、又は塵埃のうちの少なくとも１個に応じて膨張又は収縮する。
【０００８】
請求項３に記載の封止材は、請求項１又は２に記載の封止材において、前記膨張体は、収縮した場合に前記中空部を開くことにより、水、空気、音、匂い、又は光のうちの少なくとも１個を前記中空部に対して通過可能にし、膨張した場合に前記中空部を閉じることにより、水、空気、音、匂い、又は光のうちの少なくとも１個を前記中空部に対して通過不可能にする。
【０００９】
請求項４に記載の封止材は、請求項１から３の何れか一項に記載の封止材において、前記膨張体は、水を吸収していない場合に収縮して前記中空部を開くことにより、空気を前記中空部に対して通過可能にし、水を吸収して膨張した場合に前記中空部を閉じることにより、水を前記中空部に対して通過不可能にする。
【００１０】
請求項５に記載の封止材は、請求項４に記載の封止材において、前記膨張体は、少なくとも吸水ポリマーを含む。
【００１１】
請求項６に記載の建築部材構造は、建築物に関する第１空間と第２空間とを相互に区画する区画部と、請求項１から５の何れか一項に記載の封止材であって、前記区画部の周囲に設けられている前記封止材と、を備え、前記封止材は、前記膨張体が収縮した場合に前記中空部を開くことにより、前記第１空間と前記第２空間の間を通過可能にし、前記膨張体が膨張した場合に前記中空部を閉じることにより、前記第１空間と前記第２空間の間を通過不可能にする。
【００１２】
請求項７に記載の建築部材構造は、請求項６に記載の建築部材構造において、前記区画部は、前記建築物の内部の空間及び外部の空間を相互に区画するもの、又は、前記建築物の内部の少なくとも２個の空間を相互に区画するものである。
【発明の効果】
【００１３】
請求項１に記載の封止材によれば、膨張体は、収縮した場合に中空部を開くことにより、中空部を通過可能にし、膨張した場合に中空部を閉じることにより、中空部を通過不可能にすることにより、例えば、通過可能又は通過不可能を切り替え可能な封止材を提供することが可能となる。
【００１４】
請求項２に記載の封止材によれば、膨張体の周辺の気温、湿度、日射、紫外線、水、風、又は塵埃のうちの少なくとも１個に応じて膨張又は収縮することにより、例えば、通過可能又は通過不可能の切り替えに、周辺の気温、湿度、日射、紫外線、水、風、又は塵埃を反映することができるので、適切に切り替えることが可能となる。
【００１５】
請求項３に記載の封止材によれば、中空部を開くことにより、水、空気、音、匂い、又は光のうちの少なくとも１個を中空部に対して通過可能にし、中空部を閉じることにより、水、空気、音、匂い、又は光のうちの少なくとも１個を中空部に対して通過不可能にすることにより、例えば、様々な対象を通過可能又は不可能とすることができるので、利便性を向上させることが可能となる。
【００１６】
請求項４に記載の封止材によれば、水を吸収していない場合に収縮して中空部を開くことにより、空気を中空部に対して通過可能にし、水を吸収して膨張した場合に中空部を閉じることにより、水を中空部に対して通過不可能にすることにより、例えば、通気性及び止水性を有する封止材を提供することが可能となる。
【００１７】
請求項５に記載の封止材によれば、膨張体は少なくとも吸水ポリマーを含むことにより、例えば、吸水及び排水を繰り返し行うことができるので、封止材の性能を比較的長期間にわたって維持することが可能となる。
【００１８】
請求項６に記載の建築部材構造によれば、封止材は、膨張体が収縮した場合に中空部を開くことにより、第１空間と第２空間の間を通過可能にし、膨張体が膨張した場合に中空部を閉じることにより、第１空間と第２空間の間を通過不可能にすることにより、例えば、第１空間と第２空間との間で通過可能又は通過不可能を切り替え可能な建築部材構造を提供することが可能となる。
【００１９】
請求項７に記載の建築部材構造によれば、区画部は、建築物の内部の空間及び外部の空間を相互に区画するもの、又は、建築物の内部の少なくとも２個の空間を相互に区画するものであることにより、例えば、建築物の内部の空間及び外部の空間の間、又は、築物の内部の少なくとも２個の空間の間で通過可能又は通過不可能を切り替え可能となる。
【図面の簡単な説明】
【００２０】
【図１】本実施の形態に係る窓構造の断面図である。
【図２】止水材の斜視図である。
【図３】膨張性材料が膨張していない状態の止水材の一部の断面図である。
【図４】膨張性材料が膨張した状態の止水材の一部の断面図である。
【図５】晴れている場合について説明するための窓構造の断面図である。
【図６】雨が降り始めた場合について説明するための窓構造の断面図である。
【発明を実施するための形態】
【００２１】
以下に添付図面を参照して、この発明に係る封止材及び建築部材構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、封止材及び建築部材構造に関する。
【００２３】
ここで、「封止材」とは、通過可能又は通過不可能を切り替え可能なものであり、例えば、基部、及び膨張体を備えるものであり、また、任意の対象物（例えば、建築部材構造、あるいは、当該建築部材構造以外の任意のもの）に適用されるもの等を含む概念である。また、封止材を用いて通過可能又は通過不可能にする通過対象は任意であるが、例えば、水、空気、音、匂い、又は光等を通過対象としてもよい。
【００２４】
「基部」とは、封止材の本体となる部分であり、具体的には、貫通している中空部を有する封止性のものであり、例えば、中空部以外では前述の各通過対象のうちの１個以上が通過不可能となるものである。「中空部」とは、基部を貫通している空間であり、例えば、緩やかな壁面構造（一例としては、ジャイロイド構造に対応する構造等）を有する空間であり、また、１個のみ設けられるもの、あるいは、複数設けられるもの等を含む概念である。そして、例えば、前述の各通過対象のうちの１個以上は、基部における中空部を介して通過可能又は通過不可能となるものの、基部における中空部以外を介して通過不可能となる。
【００２５】
「膨張体」とは、中空部内に設けられる封止性のものであって、周辺環境に応じて膨張又は収縮するものであり、具体的には、収縮した場合に中空部を開くことにより、中空部を通過可能にし、膨張した場合に中空部を閉じることにより、中空部を通過不可能にするものである。なお、「封止性」とは、例えば、通過不可能とする機能を有することであり、一例としては、前述の各通過対象のうちの１個以上を通過不可能とする機能等を含む概念である。
【００２６】
また、「膨張体」とは、例えば、膨張体の周辺の気温、湿度、日射、紫外線、水、風、又は塵埃のうちの少なくとも１個に応じて膨張又は収縮するもの等を含む概念であり、また、収縮した場合に中空部を開くことにより、水、空気、音、匂い、又は光のうちの少なくとも１個を中空部に対して通過可能にし、膨張した場合に中空部を閉じることにより、水、空気、音、匂い、又は光のうちの少なくとも１個を中空部に対して通過不可能にするもの等を含む概念である。
【００２７】
また、「膨張体」とは、例えば、水を吸収していない場合に収縮して中空部を開くことにより、空気を中空部に対して通過可能にし、水を吸収して膨張した場合に中空部を閉じることにより、水を中空部に対して通過不可能にするもの等を含む概念である。
【００２８】
この「膨張体」としては任意のものを用いることができるが、例えば、自身の作用にて膨張又は収縮するものや、あるいは、他者からの作用（例えば、空気を出し入れする作用等）にて膨張又は収縮するものを用いることができ、一例としては、吸水ポリマーを用いることができ、又は、風船やゴムチューブの如き弾性を有するもの等を用いることもでき、あるいは、内部の空気が温められることによって膨張するような任意の材料を用いることもできる。
【００２９】
「建築部材構造」とは、封止材が適用される構造であり、具体的には、建築物に適用されるものであり、例えば、区画部、及び封止材を備えるものであり、一例としては、窓構造、外壁構造、カーテンウォール構造、及び区画間仕切壁材等を含む概念である。
【００３０】
「区画部」とは、建築物に関する第１空間と第２空間とを相互に区画するものであり、例えば、建築物の内部の空間及び外部の空間を相互に区画するもの、又は、建築物の内部の少なくとも２個の空間を相互に区画するもの等を含む概念である。
【００３１】
そして、この建築部材構造における「封止材」は、例えば、区画部の周囲に設けられ、また、膨張体が収縮した場合に中空部を開くことにより、第１空間と第２空間の間を通過可能にし、膨張体が膨張した場合に中空部を閉じることにより、第１空間と第２空間の間を通過不可能にする。
【００３２】
そして、以下に示す実施の形態では、「封止材」が通気性及び止水性を有する止水材であり、当該止水材を、開閉不可能なはめ殺しの窓構造に適用する場合を例示して説明する。なお、「通気性」とは、気体を通す性能であり、例えば、空気を通す性能等を含む概念である。「止水性」とは、少なくとも液体を通さない性能であり、例えば、水を通さない性能等を含む概念である。
【００３３】
〔ＩＩ〕実施の形態の具体的内容
次に、実施の形態の具体的内容について説明する。
【００３４】
（構成）
まず、本実施の形態に係る窓構造の構成について説明する。図１は、本実施の形態に係る窓構造の断面図である。
【００３５】
なお、以下の説明では、図１に示すＸ―Ｙ―Ｚ方向が互いに直交する方向であり、具体的には、Ｘ方向が垂直方向であり、Ｘ方向及びＹ方向が垂直方向に対して直交する水平方向であるものとして、例えば、＋Ｚ方向を上側と称し、−Ｚ方向を下側と称して説明する（他の図でも同様とする）。
【００３６】
（構成−窓構造）
窓構造１００は、建築部材構造であって、建物の所定箇所に開閉不可能に固定されているはめ殺しの窓構造であり、図１に示すように、室内の空間と室外の空間を区画するものであり、例えば、窓ガラス１、下側窓枠部２、上側窓枠部３、及び止水材４を備える。なお、ここでの、室内の空間又は室外の空間のうちの一方の空間が「第１空間」に相当し、また、他方の空間が「第２空間」に相当する。
【００３７】
（構成−窓構造−窓ガラス）
窓ガラス１は、区画部であって、室内と室外を区画する区画手段である。この窓ガラス１の具体的な種類や構成は任意であるが、例えば、透明のガラスによって形成されているものであり、また、矩形のものであり、また、端部（つまり、周縁に対応する部分）が各窓枠部にて支持されているものである。なお、図１では、窓ガラス１の下端部（−Ｚ方向）が下側窓枠部２にて支持され、また、窓ガラス１の上端部（＋Ｚ方向）が上側窓枠部３にて支持されている状態が図示されているが、窓ガラスの両側端部もこれらの各窓枠部と同様な構成の不図示の両側窓枠部に支持されていることとする。
【００３８】
（構成−窓構造−下側窓枠部）
下側窓枠部２は、窓ガラス１の下側（−Ｚ方向）に設けられている枠部材である。この下側窓枠部２の具体的な種類や構成は任意であるが、例えば、下側収容部２１を備えるものであり、また、断面視コ字形状のものであり、また、少なくとも止水性を有する任意の材料で形成されているものである。
【００３９】
（構成−窓構造−下側窓枠部−下側収容部）
下側収容部２１は、窓ガラス１の下端部（−Ｚ方向）及び止水材４を収容する凹部であり、また、窓ガラス１の下端部（−Ｚ方向）が下側窓枠部２の内面（下側収容部２１側の面）から離れて収容される部分であり、また、下側空間２２が設けられる部分である。下側空間２２は、例えば、窓ガラス１の外周側において、窓ガラス１の下端部（−Ｚ方向）及び止水材４と、下側窓枠部２との間に設けられる空間である。
【００４０】
（構成−窓構造−上側窓枠部）
上側窓枠部３は、窓ガラス１の上側（＋Ｚ方向）に設けられている枠部材である。この上側窓枠部３の具体的な種類や構成は任意であるが、下側窓枠部２と同様であり、例えば、上側収容部３１を備えるものであり、また、断面視コ字形状のものであり、また、少なくとも止水性を有する任意の材料で形成されているものである。
【００４１】
（構成−窓構造−上側窓枠部−上側収容部）
上側収容部３１は、窓ガラス１の上端部（＋Ｚ方向）及び止水材４を収容する凹部であり、また、窓ガラス１の上端部（＋Ｚ方向）が上側窓枠部３の内面（上側収容部３１側の面）から離れて収容される部分であり、また、上側空間３２が設けられる部分である。上側空間３２は、例えば、窓ガラス１の外周側において、窓ガラス１の上端部（＋Ｚ方向）及び止水材４と、上側窓枠部３との間に設けられる空間である。
【００４２】
（構成−窓構造−止水材）
図２は、止水材の斜視図であり、図３は、膨張性材料が膨張していない状態の止水材の一部の断面図であり、図４は、膨張性材料が膨張した状態の止水材の一部の断面図である。なお、図３は、図２のＡ−Ａ断面図である。また、図２〜図４の中空部４１１については、実際にはあらゆる方向に沿って設けられており、内部構造も任意であるが、ここでは、説明の便宜上、中空部４１１が垂直方向（Ｚ軸方向）に貫通している場合が例示されている。
【００４３】
図１の止水材４は、封止材であって、室内と室外との間で通気可能としたり止水したりするものである。なお、止水材４は、窓構造１００の各窓枠部に設けられるが、各窓枠部に設けられる当該止水材４の構成は相互に同様であるので、下側窓枠部２に設けられている止水材４を代表して説明する。この止水材４の具体的な種類や構成は任意であるが、例えば、下側窓枠部２の下側収容部２１の内部に設けられるものであり、また、窓ガラス１の両側に設けられるものであり、また、下側窓枠部２の室内側の面（＋Ｘ方向）又は室外側の面（−Ｘ方向）と窓ガラス１との間に設けられるものである。この止水材４は、例えば、図２及び図３の基部４１、及び図３の膨張性材料４２を備える。
【００４４】
（構成−窓構造−止水材−基部）
基部４１は、前述したように、止水材４の本体となる部分である。この基部４１の具体的な種類や構成は任意であるが、例えば、貫通している複数の中空部４１１を有する止水性のものであり、例えば、樹脂材等を用いて形成されるものである。
【００４５】
（構成−窓構造−止水材−基部−中空部）
中空部４１１は、基部４１を貫通している空間であり、例えば、垂直方向（Ｚ軸方向）に沿って貫通している空間である。
【００４６】
（構成−窓構造−止水材−膨張性材料）
図３の膨張性材料４２は、膨張体であって、中空部４１１の内部に設けられる止水性の材料である。この膨張性材料４２の具体的な種類や構成は任意であるが、例えば、吸水していない場合に収縮して中空部４１１を開くことにより、空気を中空部４１１を通して通過可能にし、また、吸水して膨張した場合に中空部４１１を閉じることにより、水を中空部４１１に対して通過不可能とするものである。また、膨張性材料４２は、例えば、収縮した場合に、図３に示すように、中空部４１１よりも小径となるサイズのものであり、また、膨張した場合に、図４に示すように、中空部４１１を塞ぐ体積増加率又は膨張率を有するものである。
【００４７】
そしてこのように、膨張性材料４２が膨張していない場合に中空部４１１よりも小径となっているので、図３の閉塞可能空間４１２が形成されることになる。閉塞可能空間４１２は、例えば、膨張していない場合の膨張性材料４２と基部４１の内壁との間に形成される空間である。
【００４８】
また、膨張性材料４２は、例えば、膨張していない場合に、任意の手法（例えば、中空部４１１自体が実際には入り組んだ複雑な形状であることとし、当該形状を利用して中空部４１１の内部に引っ掛けて固定する手法、あるいは、中空部４１１の内壁から多数の樹脂繊維が毛羽だっていることとし、この樹脂繊維に引っ掛けて固定する手法、又は、接着剤を用いて接着により固定する手法等）で中空部４１１の内部の所定位置に固定して設けられるものであり、また、吸水ポリマーにて形成されているものである。
【００４９】
（通気と止水）
次に、このように構成された窓構造１００での通気と止水について説明する。ここでは、図１の室外の天気が晴れている場合と、雨が降り始めた場合とを例示して説明する。
【００５０】
（通気と止水−晴れている場合）
図５は、晴れている場合について説明するための窓構造の断面図である。天気が晴れている場合、膨張性材料４２に対して水（例えば、雨水）が供給されないので、図３に示すように、当該膨張性材料４２は吸水しないで膨張せずに、閉塞可能空間４１２が形成される。このため、止水材４は、中空部４１１の閉塞可能空間４１２を介して通気可能となる。
【００５１】
従って、例えば、図５の窓構造１００の下部（−Ｚ方向）において、室外側（−Ｘ方向）の止水材４の図３の閉塞可能空間４１２、図５の下側空間２２、及び室内側（＋Ｘ方向）の止水材４を介して図３の閉塞可能空間４１２を介して、室内と室外とが通気可能となる。また、図５の窓構造１００の上部（＋Ｚ方向）においても、同様にして、室内と室外とが通気可能となる。そして、例えば、図５の矢印で示すように空気を通過させて、通気可能とすることが可能となる。なお、ここでの図５で示した矢印は一例であり、これらとは異なる方向に空気を通過させることも可能となる（図６も同様である）。
【００５２】
（通気と止水−雨が降り始めた場合）
図６は、雨が降り始めた場合について説明するための窓構造の断面図である。雨が降り始めた場合において、窓構造１００の下部（−Ｚ方向）の室外側（−Ｘ方向）の止水材４に雨が降った場合、雨水が図３の上側（＋Ｚ方向）から中空部４１１の内部に進入し、膨張性材料４２に対して供給されるので、図４に示すように、当該膨張性材料４２は吸水して膨張し、図３の閉塞可能空間４１２を塞ぐことになる。このため、止水材４は、中空部４１１の閉塞可能空間４１２が塞がれるために止水することになる。
【００５３】
従って、例えば、図６の窓構造１００の下部（−Ｚ方向）において、窓構造１００の下部（−Ｚ方向）の室外側（−Ｘ方向）の止水材４の図４の中空部４１１が膨張性材料４２にて塞がれるので、室内と室外との間において止水されることになる。なお、この場合、当該窓構造１００の下部（−Ｚ方向）では通気不可能となるものの、当該窓構造１００の上部（＋Ｚ方向）の止水材４に雨水が供給されていない場合、当該窓構造１００の上部側（＋Ｚ方向）では、例えば、図６の矢印で示すように空気を通過させて、通気可能とすることが可能となる。
【００５４】
そして、この後、雨が止んで、図４の膨張性材料４２が徐々に乾燥して吸水量が減少するに従って当該膨張性材料４２が収縮することになり、図３に示す閉塞可能空間４１２が再度形成され、当該窓構造１００の下部側（−Ｚ方向）で再度通気可能となる。
【００５５】
（本実施の形態の効果）
本実施の形態によれば、膨張性材料４２は、収縮した場合に中空部４１１を開くことにより、中空部４１１を通過可能にし、膨張した場合に中空部４１１を閉じることにより、中空部４１１を通過不可能にすることにより、例えば、通過可能又は通過不可能を切り替え可能な止水材４を提供することが可能となる。
【００５６】
また、膨張性材料４２の周辺の水に応じて膨張又は収縮することにより、例えば、通過可能又は通過不可能の切り替えに、周辺の水を反映することができるので、適切に切り替えることが可能となる。
【００５７】
また、中空部４１１を開くことにより、少なくとも空気を中空部４１１に対して通過可能にし、中空部４１１を閉じることにより、少なくとも水及び空気を中空部４１１に対して通過不可能にすることにより、例えば、様々な対象を通過可能又は不可能とすることができるので、利便性を向上させることが可能となる。
【００５８】
また、水を吸収していない場合に収縮して中空部４１１を開くことにより、空気を中空部４１１に対して通過可能にし、水を吸収して膨張した場合に中空部４１１を閉じることにより、水を中空部４１１に対して通過不可能にすることにより、例えば、通気性及び止水性を有する止水材４を提供することが可能となる。
【００５９】
また、膨張性材料４２が吸水ポリマーであることにより、例えば、吸水及び排水を繰り返し行うことができるので、止水材４の性能を比較的長期間にわたって維持することが可能となる。
【００６０】
止水材４は、膨張性材料４２が収縮した場合に中空部４１１を開くことにより、室外側の空間と室内側の空間の間を通過可能にし、膨張性材料４２が膨張した場合に中空部４１１を閉じることにより、室外側の空間と室内側の空間の間を通過不可能にすることにより、例えば、室外側の空間と室内側の空間との間で通過可能又は通過不可能を切り替え可能な窓構造１００を提供することが可能となる。
【００６１】
また、窓ガラス１は、建築物の内部の空間及び外部の空間を相互に区画するものであることにより、例えば、建築物の内部の空間及び外部の空間の間で通過可能又は通過不可能を切り替えることが可能となる。
【００６２】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６５】
（膨張性材料について）
また、上記実施の形態の図３の膨張性材料４２として、吸水ポリマーを用いる場合を例示して説明したが、これに限らない。例えば、気温、湿度、日射、紫外線、水、風、又は塵埃のうちの少なくとも１個の量に応じて自身の作用で膨張又は収縮する任意の材料を膨張性材料４２として用いてもよい。あるいは、膨張性材料４２の代わりに、空気を出し入れすることが可能なゴムチューブを用いてもよい。この場合、窓構造１００の周辺における室外側又は室内側の気温、湿度、日射、紫外線、水、風、又は塵埃のうちの少なくとも１個の量を検出するセンサ、及び前述のゴムチューブに対して空気を出し入れする装置を設けて、当該装置が、前述のセンサの検出値に応じて、ゴムチューブに対して空気を入れて当該ゴムチューブを膨張させたり、あるいは、ゴムチューブから空気を抜いて当該ゴムチューブを収縮させたりしてもよい。また、上記実施の形態の図３の基部４１及び膨張性材料４２として、水、空気、音、匂い、又は光のうちの少なくとも１個を通過不可能とすることができるものを用いてもよい。そして、このように構成した場合、気温、湿度、日射、紫外線、水、風、又は塵埃のうちの少なくとも１個に応じて、水、空気、音、匂い、又は光のうちの少なくとも１個を、通過可能にしたり、あるいは、通過不可能にしたりすることが可能となる。
【００６６】
（着色について）
また、上記実施の形態の図３の基部４１を透明に構成し、また、膨張性材料４２を任意の色（例えば、赤色、青色、緑色等）に着色してもよい。このように構成した場合、窓構造１００の意匠性を向上させることが可能となる。
【００６７】
（付記）
付記１の封止材は、貫通している中空部を有する封止性の基部と、前記中空部内に設けられる封止性の膨張体であって、周辺環境に応じて膨張又は収縮する前記膨張体と、を備え、前記膨張体は、収縮した場合に前記中空部を開くことにより、前記中空部を通過可能にし、膨張した場合に前記中空部を閉じることにより、前記中空部を通過不可能にする。
【００６８】
付記２の封止材は、付記１に記載の封止材において、前記膨張体は、当該膨張体の周辺の気温、湿度、日射、紫外線、水、風、又は塵埃のうちの少なくとも１個に応じて膨張又は収縮する。
【００６９】
付記３の封止材は、付記１又は２に記載の封止材において、前記膨張体は、収縮した場合に前記中空部を開くことにより、水、空気、音、匂い、又は光のうちの少なくとも１個を前記中空部に対して通過可能にし、膨張した場合に前記中空部を閉じることにより、水、空気、音、匂い、又は光のうちの少なくとも１個を前記中空部に対して通過不可能にする。
【００７０】
付記４の封止材は、付記１から３の何れか一項に記載の封止材において、前記膨張体は、水を吸収していない場合に収縮して前記中空部を開くことにより、空気を前記中空部に対して通過可能にし、水を吸収して膨張した場合に前記中空部を閉じることにより、水を前記中空部に対して通過不可能にする。
【００７１】
付記５の封止材は、付記４に記載の封止材において、前記膨張体は、少なくとも吸水ポリマーを含む。
【００７２】
付記６の建築部材構造は、建築物に関する第１空間と第２空間とを相互に区画する区画部と、請求項１から５の何れか一項に記載の封止材であって、前記区画部の周囲に設けられている前記封止材と、を備え、前記封止材は、前記膨張体が収縮した場合に前記中空部を開くことにより、前記第１空間と前記第２空間の間を通過可能にし、前記膨張体が膨張した場合に前記中空部を閉じることにより、前記第１空間と前記第２空間の間を通過不可能にする。
【００７３】
付記７の建築部材構造は、付記６に記載の建築部材構造において、前記区画部は、前記建築物の内部の空間及び外部の空間を相互に区画するもの、又は、前記建築物の内部の少なくとも２個の空間を相互に区画するものである。
【００７４】
（付記の効果）
付記１に記載の封止材によれば、膨張体は、収縮した場合に中空部を開くことにより、中空部を通過可能にし、膨張した場合に中空部を閉じることにより、中空部を通過不可能にすることにより、例えば、通過可能又は通過不可能を切り替え可能な封止材を提供することが可能となる。
【００７５】
付記２に記載の封止材によれば、膨張体の周辺の気温、湿度、日射、紫外線、水、風、又は塵埃のうちの少なくとも１個に応じて膨張又は収縮することにより、例えば、通過可能又は通過不可能の切り替えに、周辺の気温、湿度、日射、紫外線、水、風、又は塵埃を反映することができるので、適切に切り替えることが可能となる。
【００７６】
付記３に記載の封止材によれば、中空部を開くことにより、水、空気、音、匂い、又は光のうちの少なくとも１個を中空部に対して通過可能にし、中空部を閉じることにより、水、空気、音、匂い、又は光のうちの少なくとも１個を中空部に対して通過不可能にすることにより、例えば、様々な対象を通過可能又は不可能とすることができるので、利便性を向上させることが可能となる。
【００７７】
付記４に記載の封止材によれば、水を吸収していない場合に収縮して中空部を開くことにより、空気を中空部に対して通過可能にし、水を吸収して膨張した場合に中空部を閉じることにより、水を中空部に対して通過不可能にすることにより、例えば、通気性及び止水性を有する封止材を提供することが可能となる。
【００７８】
付記５に記載の封止材によれば、膨張体は少なくとも吸水ポリマーを含むことにより、例えば、吸水及び排水を繰り返し行うことができるので、封止材の性能を比較的長期間にわたって維持することが可能となる。
【００７９】
付記６に記載の建築部材構造によれば、封止材は、膨張体が収縮した場合に中空部を開くことにより、第１空間と第２空間の間を通過可能にし、膨張体が膨張した場合に中空部を閉じることにより、第１空間と第２空間の間を通過不可能にすることにより、例えば、第１空間と第２空間との間で通過可能又は通過不可能を切り替え可能な建築部材構造を提供することが可能となる。
【００８０】
付記７に記載の建築部材構造によれば、区画部は、建築物の内部の空間及び外部の空間を相互に区画するもの、又は、建築物の内部の少なくとも２個の空間を相互に区画するものであることにより、例えば、建築物の内部の空間及び外部の空間の間、又は、築物の内部の少なくとも２個の空間の間で通過可能又は通過不可能を切り替え可能となる。
【符号の説明】
【００８１】
１  窓ガラス
２  下側窓枠部
３  上側窓枠部
４  止水材
２１  下側収容部
２２  下側空間
３１  上側収容部
３２  上側空間
４１  基部
４２  膨張性材料
１００  窓構造
４１１  中空部
４１２  閉塞可能空間
【図１】
2020165167.tif 000003
【図２】
2020165167.tif 000004
【図３】
2020165167.tif 000005
【図４】
2020165167.tif 000006
【図５】
2020165167.tif 000007
【図６】
2020165167.tif 000008